(57)【特許請求の範囲】
【請求項１】
微小突起が密接して配置され、隣接する前記微小突起の間隔が、反射防止を図る電磁波の波長帯域の最短波長以下である反射防止物品の製造方法において、
前記微小突起に対応する微細穴を備えた賦型用金型を作製する金型作成工程と、
前記賦型用金型を使用した賦型処理により基材の表面に前記微小突起を作製して前記反射防止物品を作製する賦型工程と、
前記賦型用金型を検査して欠陥を修正する検査修正工程とを備え、
前記検査修正工程は、
前記賦型用金型の表面の凸部の幅に応じたビーム径によるレーザーの照射により、前記凸部に係る異物を除去し、前記凸部を前記微細穴の開口側端部の高さと同じ高さの平坦部とする修正工程と、
前記修正工程により形成された前記平坦部の幅を計測する計測工程と、
前記計測工程により計測された前記平坦部の幅が１００μｍ以上の場合に、賦型処理により当該平坦部に前記微細穴を形成する再修正工程と、
を備える
反射防止物品の製造方法。
【請求項２】
微小突起が密接して配置され、隣接する前記微小突起の間隔が、反射防止を図る電磁波の波長帯域の最短波長以下である反射防止物品の作成に供する反射防止物品の賦型用金型の製造方法において、
前記賦型用金型を検査して欠陥を修正する検査修正工程とを備え、
前記検査修正工程は、
前記賦型用金型の表面の凸部の幅に応じたビーム径によるレーザーの照射により、前記凸部に係る異物を除去し、前記凸部を微細穴の開口側端部の高さと同じ高さの平坦部とする修正工程と、
前記修正工程により形成された前記平坦部の幅を計測する計測工程と、
前記計測工程により計測された前記平坦部の幅が１００μｍ以上の場合に、賦型処理により当該平坦部に前記微細穴を形成する再修正工程と、
を備える
反射防止物品の賦型用金型の製造方法。
【発明の詳細な説明】
【技術分野】
【０００１】
本発明は、反射防止を図る電磁波の波長帯域の最短波長以下の間隔で多数の微小突起を密接配置して反射防止を図る反射防止物品に関するものである。
【背景技術】
【０００２】
近年、フィルム形状の反射防止物品である反射防止フィルムに関して、透明基材（透明フィルム）の表面に多数の微小突起を密接して配置することにより、反射防止を図る方法が提案されている（特許文献１〜３参照）。この方法は、いわゆるモスアイ（ｍｏｔｈ  ｅｙｅ（蛾の目））構造の原理を利用したものであり、入射光に対する屈折率を基板の厚み方向に連続的に変化させ、これにより屈折率の不連続界面を消失させて反射防止を図るものである。
【０００３】
このモスアイ構造に係る反射防止物品では、隣接する微小突起の間隔ｄが、反射防止を図る電磁波の波長帯域の最短波長Λｍｉｎ以下（ｄ≦Λｍｉｎ）となるよう、微小突起が密接して配置される。また各微小突起は、透明基材に植立するように、さらに透明基材より先端側に向かうに従って徐々に断面積が小さくなるように（先細りとなるように）作製される。
【０００４】
かかる反射防止物品には各種用途が提案されている。例えば、各種画像表示裝置の出光面上に配置して画面における日光等の外光反射を低減して画像視認性を向上させたり、シート又は板状の透明基材上に該微小突起群を形成し、更に該微小突起群上にＩＴＯ（酸化インジウム錫）等の透明導電膜を形成した電極を用いてタッチパネルを構成することにより、該タッチパネル電極とこれと隣接する各種部材との間の光反射を防止して、干渉縞、ゴースト像等の発生を低減させること等が提案されている。
【０００５】
このような反射防止物品に設けられる微小突起は、対応する微細穴を密接配置してなる賦型用金型を、紫外線硬化性樹脂等に加圧押圧して硬化させることにより形成される。特許文献４、５には、このような賦型用金型の表面に発生する凸部（いわゆる欠陥である）を修正する工夫が提案されている。
【０００６】
このような欠陥は、反射防止物品において欠点として認識され、このような欠点は極力低減することが望まれる。
【先行技術文献】
【特許文献】
【０００７】
【特許文献１】特開昭５０−７００４０号公報
【特許文献２】特表２００３−５３１９６２号公報
【特許文献３】特許第４６３２５８９号公報
【特許文献４】特許第５５７８２２７号公報
【特許文献５】特開２０１４−０７１３１２号公報
【発明の概要】
【発明が解決しようとする課題】
【０００８】
本発明はこのような状況に鑑みてなされたものであり、賦型用金型を使用した賦型処理により作製される反射防止物品に関して、従来に比して一段と欠点を低減すること目的とする。
【課題を解決するための手段】
【０００９】
本発明者は、上記課題を解決するために鋭意研究を重ね、賦型用金型への異物の付着による欠陥のうち、賦型用金型の表面材料による異物が付着して形成される欠陥は、レーザー照射の条件の設定により賦型用金型の表面に損傷を与えることなく除去できることを見出し、これにより凸部の大きさに応じたビーム径によるレーザーの照射により異物を除去し、当該部位を微細穴の開口側端部の高さと同じ高さの平坦部とする、との着想に至り、本発明を完成するに至った。
【００１０】
具体的には、本発明では、以下のようなものを提供する。
【００１１】
（１）  微小突起が密接して配置され、隣接する前記微小突起の間隔が、反射防止を図る電磁波の波長帯域の最短波長以下である反射防止物品において、
賦型用金型の凸部の修正痕を備え、
前記賦型用金型の凸部の修正痕は、
周囲の微小突起の付け根部分の高さによる前記微小突起より大きさが大きな平坦部である反射防止物品。
【００１２】
（１）によれば、凸部による修正痕が平坦部により形成されていることにより、大きさが小さい場合には欠点と認識されないようにすることができ、また賦型処理の繰り返しにより欠点に至らないようにすることができ、これらにより従来に比して欠点を低減することができる。
【００１３】
（２）  （１）において、
前記賦型用金型の凸部の修正痕は、
大きさが１００μｍ未満であり、
前記反射防止物品は、
さらに大きさが１００μｍ以上の賦型処理による賦型用金型の凸部の修正痕を備える反射防止物品。
【００１４】
（２）によれば、欠点として認識される大きさの大きな平坦部については、さらに賦型処理による修正痕により欠点として認識されないようにすることができ、これにより一段と欠点を低減することができる。
【００１５】
（３）  （１）又は（２）において、
前記反射防止物品は、
基材表面に設けられた賦型樹脂層の賦型処理により形成され反射防止物品。
【００１６】
（３）によれば、賦型処理により反射防止物品を量産することができる。
【００１７】
（４）  （１）、（２）、（３）の何れかに記載の反射防止物品を画像表示パネルのパネル面に配置した画像表示装置。
【００１８】
（４）によれば、従来に比して欠点を低減してなる反射防止物品を設けた画像表示装置を提供することができる。
【００１９】
（５）  （４）において、前記画像表示パネルが、液晶表示パネルであり、
前記反射防止物品は、
前記液晶表示パネルの出射面側の直線偏光板と一体に配置された画像表示装置。
【００２０】
（５）によれば、事前に直線偏光板と反射防止物品とを一体化することにより、反射防止物品の配置に係る作業を簡略化することができる。
【００２１】
（６）  微小突起が密接して配置され、隣接する前記微小突起の間隔が、反射防止を図る電磁波の波長帯域の最短波長以下である反射防止物品の製造方法において、
前記微小突起に対応する微細穴を備えた賦型用金型を作製する金型作成工程と、
前記賦型用金型を使用した賦型処理により基材の表面に前記微小突起を作製して前記反射防止物品を作製する賦型工程と、
前記賦型用金型を検査して欠陥を修正する検査修正工程とを備え、
前記検査修正工程は、
前記賦型用金型の表面の凸部の大きさに応じたビーム径によるレーザーの照射により、前記凸部に係る異物を除去し、前記凸部を前記微細穴の付け根部分の高さによる平坦部とする平坦部による修正工程を備える反射防止物品の製造方法。
【００２２】
（６）によれば、凸部による修正痕が平坦部により形成されていることにより、大きさが小さい場合には欠点と認識されないようにすることができ、また賦型処理の繰り返しにより欠点に至らないようにすることができ、これらにより従来に比して欠点を低減することができる。
【００２３】
（７）  （６）において、
前記検査修正工程は、
平坦部の大きさが１００μｍ以上の場合に、賦型処理により当該平坦部に前記微細穴を形成する賦型処理による修正工程をさらに備える反射防止物品の製造方法。
【００２４】
（７）によれば、欠点として認識される大きさの大きな平坦部については、さらに賦型処理による修正痕により欠点として認識されないようにすることができ、これにより一段と欠点を低減することができる。
【００２５】
（８）  微小突起が密接して配置され、隣接する前記微小突起の間隔が、反射防止を図る電磁波の波長帯域の最短波長以下である反射防止物品の作成に供する賦型用金型において、
賦型用金型の凸部の修正痕を備え、
前記賦型用金型の凸部の修正痕は、
周囲の微細穴の付け根部分の高さによる前記微小突起より大きさが大きな平坦部である反射防止物品の賦型用金型。
【００２６】
（８）によれば、凸部による修正痕が平坦部により形成されていることにより、大きさが小さい場合には欠点と認識されないようにすることができ、また賦型処理の繰り返しにより欠点に至らないようにすることができ、これらにより従来に比して欠点を低減することができる。
【００２７】
（９）  （８）において、
前記凸部の修正痕は、
大きさが１００μｍ未満であり、
前記反射防止物品の賦型用金型は、
さらに大きさが１００μｍ以上の賦型処理による修正痕を備える反射防止物品の製造用金型。
【００２８】
（９）によれば、欠点として認識される大きさの大きな平坦部については、さらに賦型処理による修正痕により欠点として認識されないようにすることができ、これにより一段と欠点を低減することができる。
【００２９】
（１０）  微小突起が密接して配置され、隣接する前記微小突起の間隔が、反射防止を図る電磁波の波長帯域の最短波長以下である反射防止物品の作成に供する反射防止物品の賦型用金型の製造方法において、
前記賦型用金型を検査して欠陥を修正する検査修正工程とを備え、
前記検査修正工程は、
前記賦型用金型の表面の凸部の大きさに応じたビーム径によるレーザーの照射により、前記凸部に係る異物を除去し、前記凸部を微細穴の付け根部分の高さによる平坦部とする平坦部による修正工程を備える反射防止物品の賦型用金型の製造方法。
【００３０】
（１０）によれば、凸部による修正痕が平坦部により形成されていることにより、大きさが小さい場合には欠点と認識されないようにすることができ、また賦型処理の繰り返しにより欠点に至らないようにすることができ、これらにより従来に比して欠点を低減することができる。
【発明の効果】
【００３１】
本発明は、賦型用金型を使用した賦型処理により作製される反射防止物品に関して、従来に比して一段と欠点を低減することができる。
【図面の簡単な説明】
【００３２】
【図１】本発明の第１実施形態に係る反射防止物品を示す概念斜視図である。
【図２】隣接突起の説明に供する図である。
【図３】極大点の説明に供する図である。
【図４】ドロネー図を示す図である。
【図５】隣接突起間距離の計測に供する度数分布図である。
【図６】微小高さの説明に供する度数分布図である。
【図７】図１の反射防止物品の製造工程を示す図である。
【図８】図１の反射防止物品に係るロール版を示す図である。
【図９】図８のロール版の製造工程を示す図である。
【図１０】欠陥の説明に供する図である。
【図１１】賦型処理による修正の説明に供する図である。
【図１２】検査修復工程を示すフローチャートである。
【図１３】欠陥の修正による反射防止物品の説明に供する図である。
【発明を実施するための形態】
【００３３】
〔第１実施形態〕
〔反射防止物品〕
図１は、本発明の第１実施形態に係る反射防止物品を示す図（概念斜視図）である。この反射防止物品１は、全体形状がフィルム形状により形成された反射防止フィルムである。この実施形態に係る画像表示装置では、この反射防止物品１が画像表示パネルのパネル面（表側面）に貼り付けられて保持され、この反射防止物品１により日光、電燈光等の外来光の画面における反射を低減して視認性を向上する。ここでこの実施形態に係る画像表示パネルは、液晶表示パネルであり、事前に、この液晶表示パネルの出射面に配置される直線偏光板がこの反射防止物品１と積層一体化された後、液晶セルに配置されて液晶表示パネルが形成される。これによりこの実施形態では、反射防止物品１の配置に係る作業を簡略化することができる。
【００３４】
なお反射防止物品は、その形状を平坦なフィルム形状とする場合に限らず、平坦なシート形状、平板形状（相対的に厚みの薄い順に、フィルム、シート、板と呼称する）とすることもでき、また平坦な形状に代えて、湾曲形状、立体形状を呈したフィルム形状、シート形状、板形状とすることもでき、さらには各種レンズ、各種プリズム等の立体形状のものを用途に応じて適宜採用することができる。
【００３５】
ここで反射防止物品１は、透明フィルムによる基材２の表面に多数の微小突起を密接配置して作製される。尚、密接配置された複数の微小突起を総称して微小突起群とも呼称する。ここで基材２は、例えばＴＡＣ（Triacetylcellulose）等のセルロース(纖維素)系樹脂、ＰＭＭＡ(ポリメチルメタクリレート)等のアクリル系樹脂、ＰＥＴ（Polyethylene  terephthalate）等のポリエステル系樹脂、ＰＰ（ポリプロピレン）等のポリオレフィン系樹脂、ＰＶＣ（ポリ塩化ビニル）等のビニル系樹脂、ＰＣ（Polycarbonate）等の各種透明樹脂フィルムを適用することができる。本実施形態では、反射防止物品１は、画像表示装置の液晶表示パネル、電場発光表示パネル、プラズマ表示パネル等の各種画像表示パネルの表面に配置されることによって、これらの表示パネルの表面で反射する反射光を低減し、視認性を向上させる。なお上述したように反射防止物品の形状はフィルム形状に限らず、種々の形状を採用可能であることにより、基材２は、反射防止物品の形状に応じて、これらの材料の他に、例えばソーダ硝子、カリ硝子、鉛ガラス等の硝子、ＰＬＺＴ等のセラミックス、石英、螢石等の各種透明無機材料等を適用することができる。
【００３６】
反射防止物品１は、基材２上に、微小突起群からなる微細な凹凸形状の受容層となる未硬化状態の樹脂層（以下、適宜、受容層又は微小突起層と呼ぶ）４を形成し、該受容層４を賦型処理して硬化せしめ、これにより基材２の表面に微小突起が密接して配置される。この実施形態では、この受容層４に、賦型処理に供する賦型用樹脂の１つであるアクリレート系紫外線硬化性樹脂が適用され、基材２上に紫外線硬化性樹脂層４が形成される。反射防止物品１は、この微小突起による凹凸形状により厚み方向に徐々に屈折率が変化するように作製され、モスアイ構造の原理により広い波長範囲で入射光の反射を低減する。
【００３７】
なおこれにより反射防止物品１に作製される微小突起は、隣接する微小突起の間隔ｄが、反射防止を図る電磁波の波長帯域の最短波長Λｍｉｎ以下（ｄ≦Λｍｉｎ）となるよう密接して配置される。この実施形態では、画像表示パネルに配置して視認性を向上させることを主目的とするため、この最短波長は、個人差、視聴条件を加味した可視光領域の最短波長（３８０ｎｍ）に設定され、間隔ｄは、ばらつきを考慮して１００〜３００ｎｍとされる。またこの間隔ｄに係る隣接する微小突起は、いわゆる隣り合う微小突起であり、基材２側の付け根部分である微小突起の裾の部分が接している突起である。反射防止物品１では微小突起が密接して配置されることにより、微小突起間の谷の部位を順次辿るようにして線分を作成すると、平面視において各微小突起を囲む多角形状領域を多数連結してなる網目状の模様が作製されることになる。間隔ｄに係る隣接する微小突起は、この網目状の模様を構成する一部の線分を共有する突起である。
【００３８】
〔突起間距離〕
なお微小突起に関しては、より詳細には以下のように定義される。モスアイ構造による反射防止では、透明基材表面とこれに隣接する媒質との界面における有効屈折率を、厚み方向に連続的に変化させて反射防止を図るものであることから、微小突起に関しては一定の条件を満足することが必要である。この条件のうちの１つである突起の間隔に関して、例えば特開昭５０−７００４０号公報、特許第４６３２５８９号公報等に開示のように、微小突起が一定周期で規則正しく配置されている場合、隣接する微小突起の間隔ｄは、突起配列の周期Ｐ（ｄ＝Ｐ）となる。これにより可視光線帯域の最長波長をλｍａｘ、最短波長をλｍｉｎとした場合に、最低限、可視光線帯域の最長波長において反射防止効果を奏し得る必要最小限の条件は、Λｍｉｎ＝λｍａｘであるため、Ｐ≦λｍａｘとなり、可視光線帯域の全波長に対して反射防止効果を奏し得る必要十分の条件は、Λｍｉｎ＝λｍｉｎであるため、Ｐ≦λｍｉｎとなる。
【００３９】
なお波長λｍａｘ、λｍｉｎは、観察条件、光の強度（輝度）、個人差等にも依存して多少幅を持ち得るが、標準的には、λｍａｘ＝７８０ｎｍ及びλｍｉｎ＝３８０ｎｍとされる。これらにより可視光線帯域の全波長に対する反射防止効果をより確実に奏し得る好ましい条件は、ｄ≦３００ｎｍであり、より好ましい条件は、ｄ≦２００ｎｍとなる。なお反射防止効果の発現及び反射率の等方性（低角度依存性）の確保等の理由から、周期ｄの下限値は、通常、ｄ≧５０ｎｍ、好ましくは、ｄ≧１００ｎｍとされる。これに対して突起の高さＨは、十分な反射防止効果を発現させる観点より、Ｈ≧０．２×λｍａｘ＝１５６ｎｍ（λｍａｘ＝７８０ｎｍとして）とされる。
【００４０】
しかしながらこの実施形態のように、微小突起が不規則に配置されている場合には、隣接する微小突起間の間隔ｄはばらつきを有することになる。より具体的には、図２に示すように、基材の表面又は裏面の法線方向から見て平面視した場合に、微小突起が一定周期で規則正しく配列されていない場合、突起の繰り返し周期Ｐによっては隣接突起間の間隔ｄは規定し得ず、また隣接突起の概念すら疑念が生じることになる。そこでこのような場合、以下のように算定される。
【００４１】
（１）すなわち先ず、原子間力顕微鏡（Atomic  Force  Microscope;AFM）又は走査型電子顕微鏡（Scanning  Electron  Microscope:SEM）を用いて突起の面内配列（突起配列の平面視形状）を検出する。なお図２は、実際に原子間力顕微鏡により求められた拡大写真である。
【００４２】
（２）続いてこの求められた面内配列から各突起の高さの極大点（以下、単に極大点と呼ぶ）を検出する。なお極大点を求める方法としては、平面視形状と対応する断面形状の拡大写真とを逐次対比して極大点を求める方法、平面視拡大写真の画像処理によって極大点を求める方法等、種々の手法を適用することができる。図３は、図２に示した拡大写真に係る画像データの処理による極大点の検出結果を示す図であり、この図において黒点により示す個所がそれぞれ各突起の極大点である。なおこの処理では４．５×４．５画素のガウシアン特性によるローパスフィルタにより事前に画像データを処理し、これによりノイズによる極大点の誤検出を防止した。また８画素×８画素による最大値検出用のフィルタを順次スキャンすることにより１ｎｍ（＝１画素）単位で極大点を求めた。
【００４３】
（３）次に検出した極大点を母点とするドロネー図（Ｄｅｌａｕｎａｒｙ  Ｄｉａｇｒａｍ）を作成する。ここでドロネー図とは、各極大点を母点としてボロノイ分割を行った場合に、ボロノイ領域が隣接する母点同士を隣接母点と定義し、各隣接母点同士を線分で結んで得られる３角形の集合体からなる網状図形である。各３角形は、ドロネー３角形と呼ばれ、各３角形の辺（隣接母点同士を結ぶ線分）は、ドロネー線と呼ばれる。図４は、図３から求められるドロネー図（白色の線分により表される図である）を図３による原画像と重ね合わせた図である。ドロネー図は、ボロノイ図（Ｖｏｒｏｎｏｉ  ｄｉａｇｒａｍ）と双対の関係に有る。またボロノイ分割とは、各隣接母点間を結ぶ線分（ドロネー線）の垂直２等分線同士によって画成される閉多角形の集合体からなる網状図形で平面を分割することを言う。ボロノイ分割により得られる網状図形がボロノイ図であり、各閉領域がボロノイ領域である。
【００４４】
（４）次に、各ドロネー線の線分長の度数分布、すなわち隣接する極大点間の距離（以下、隣接突起間距離と呼ぶ）の度数分布を求める。図５は、図４のドロネー図から作成した度数分布のヒストグラムである。なお図２、図１０に示すように、突起の頂部に溝状等の凹部が存在したり、あるいは頂部が複数の峰に分裂している場合は、求めた度数分布から、このような突起の頂部に凹部が存在する微細構造、頂部が複数の峰に分裂している微細構造に起因するデータを除去し、突起本体自体のデータのみを選別して度数分布を作成する。
【００４５】
具体的には、突起の頂部に凹部が存在する微細構造、頂部が複数の峰に分裂している多峰性の微小突起に係る微細構造においては、このような微細構造を備えてい無い単峰性の微小突起の場合の数値範囲から、隣接極大点間距離が明らかに大きく異なることになる。これによりこの特徴を利用して対応するデータを除去することにより突起本体自体のデータのみを選別して度数分布を検出する。より具体的には、例えば図２に示すような微小突起（群）の平面視の拡大写真から、５〜２０個程度の互いに隣接する単峰性微小突起を選んで、その隣接極大点間距離の値を標本抽出し、この標本抽出して求められる数値範囲から明らかに外れる値（通常、標本抽出して求められる隣接極大点間距離平均値に対して、値が１／２以下のデータ）を除外して度数分布を検出する。図５の例では、隣接極大点間距離が５６ｎｍ以下のデータ（矢印Ａにより示す左端の小山）を除外する。なお図５は、このような除外する処理を行う前の度数分布を示すものである。因みに上述の極大点検用のフィルタの設定により、このような除外する処理を実行してもよい。
【００４６】
（５）このようにして求めた隣接突起間距離ｄの度数分布から平均値ｄＡＶＧ及び標準偏差σを求める。ここでこのようにして得られる度数分布を正規分布とみなして平均値ｄＡＶＧ及び標準偏差σを求めると、図５の例では、平均値ｄＡＶＧ＝１５８ｎｍ、標準偏差σ＝３８ｎｍとなった。これにより隣接突起間距離ｄの最大値を、ｄｍａｘ＝ｄＡＶＧ＋２σとし、この例ではｄｍａｘ＝２３４ｎｍとなる。
【００４７】
なお同様の手法を適用して突起の高さを定義する。この場合、上述の（２）により求められる極大点から、特定の基準位置からの各極大点位置の相対的な高さの差を取得してヒストグラム化する。図６は、このようにして求められる突起付け根位置を基準（高さ０）とした突起高さＨの度数分布のヒストグラムを示す図である。このヒストグラムによる度数分布から突起高さの平均値ＨＡＶＧ、標準偏差σを求める。ここでこの図６の例では、平均値ＨＡＶＧ＝１７８ｎｍ、標準偏差σ＝３０ｎｍである。これによりこの例では、突起の高さは、平均値ＨＡＶＧ＝１７８ｎｍとなる。なお図６に示す突起高さＨのヒストグラムにおいて、多峰性の微小突起の場合は、頂点を複数有していることにより、１つの突起に対してこれら複数のデータが混在することになる。そこでこの場合は麓部が同一の微小突起に属するそれぞれ複数の頂点の中から高さの最も高い頂点を、当該微小突起の突起高さとして採用して度数分布を求める。
【００４８】
なお上述した突起の高さを測る際の基準位置は、隣接する微小突起の間の谷底（高さの極小点）を高さ０の基準とする。但し、係る谷底の高さ自体が場所によって異なる場合（例えば、谷底の高さが微小突起の隣接突起間距離に比べて大きな周期でウネリを有する場合等）は、（１）先ず、基材２の表面又は裏面から測った各谷底の高さの平均値を、該平均値が收束するに足る面積の中で算出する。（２）次いで、該平均値の高さを持ち、基材２の表面又は裏面と平行な面を基準面として考える。（３）その後、該基準面を改めて高さ０として、該基準面からの各微小突起の高さを算出する。
【００４９】
突起が不規則に配置されている場合には、このようにして求められる隣接突起間距離の最大値ｄｍａｘ＝ｄＡＶＧ＋２σ、突起の高さの平均値ＨＡＶＧが、規則正しく配置されている場合の上述の条件を満足することが必要であることが判った。具体的には、反射防止効果を発現する微小突起間距離の条件は、ｄｍａｘ≦Λｍｉｎとなる。最低限、可視光線帯域の最長波長において反射防止効果を奏し得る必要最短限の条件は、Λｍｉｎ＝λｍａｘであるため、ｄｍａｘ≦λｍａｘとなり、可視光線帯域の全波長に対して反射防止効果を奏し得る必要十分の条件は、Λｍｉｎ＝λｍｉｎであるため、ｄｍａｘ≦λｍｉｎとなる。そして、可視光線帯域の全波長に対する反射防止効果をより確実に奏し得る好ましい条件は、ｄｍａｘ≦３００ｎｍであり、更に好ましい条件は、ｄｍａｘ≦２００ｎｍである。また反射防止効果の発現及び反射率の等方性（低角度依存性）の確保等の理由から、通常、ｄｍａｘ≧５０ｎｍであり、好ましくは、ｄｍａｘ≧１００ｎｍとされる。また突起高さについては、十分な反射防止効果を発現する為には、ＨＡＶＧ≧０．２×λｍａｘ＝１５６ｎｍ（λｍａｘ＝７８０ｎｍとして）とされる。
【００５０】
因みに、図２〜図６の例により説明するとｄｍａｘ＝２３４ｎｍ≦λｍａｘ＝７８０ｎｍとなり、ｄｍａｘ≦λｍａｘの条件を満足して十分に反射防止効果を奏し得ることが判る。また可視光線帯域の最短波長λｍｉｎが３８０ｎｍであることから、可視光線の全波長帯域において反射防止効果を発現する十分条件ｄｍａｘ≦λｍｉｎも満たすことが判る。また平均突起高さＨＡＶＧ＝１７８ｎｍであることにより、平均突起高さＨＡＶＧ≧０．２×λｍａｘ＝１５６ｎｍとなり（可視光波長帯域の最長波長λｍax＝７８０ｎｍとして）、十分な反射防止効果を実現するための突起の高さに関する条件も満足していることが判る。なお標準偏差σ＝３０ｎｍであることから、ＨＡＶＧ−σ＝１４８ｎｍ＜０．２×λｍａｘ＝１５６ｎｍとの関係式が成立することから、統計学上、全突起の５０％以上、８４％以下が、突起の高さに係る条件（１７８ｎｍ以上）の条件を満足していることが判る。なおＡＦＭ及びＳＥＭによる観察結果、並びに微小突起の高さ分布の解析結果から、多峰性の微小突起は相対的に高さの低い微小突起よりも高さの高い微小突起でより多く生じる傾向にあることが判明した。
【００５１】
〔反射防止物品の製造工程〕
図７は、この反射防止物品１の製造工程を示す図である。この製造工程１０は、樹脂供給工程において、ダイ１２により帯状フィルム形態の基材２に微小突起形状の受容層（賦型樹脂層）を構成する未硬化で液状の紫外線硬化性樹脂を塗布する。なお紫外線硬化性樹脂の塗布については、ダイ１２による場合に限らず、各種の手法を適用することができる。続いてこの製造工程１０は、押圧ローラ１４により、反射防止物品の賦型用金型であるロール版１３（賦型用金型）の周側面に基材２を加圧押圧し、これにより基材２に未硬化状態で液状のアクリレート系紫外線硬化性樹脂を密着させると共に、ロール版１３の周側面に作製された微細な凹凸形状の凹部に紫外線硬化性樹脂を充分に充填する。この製造工程は、この状態で、紫外線の照射により紫外線硬化性樹脂を硬化させ、これにより基材２の表面に微小突起群を作製する。この製造工程は、続いて剥離ローラ１５を介してロール版１３から、硬化した紫外線硬化性樹脂と一体に基材２を剥離する。製造工程１０は、必要に応じてこの基材２に粘着層等を作製した後、所望の大きさに切断して反射防止物品１を作製する。これにより反射防止物品１は、ロール材による長尺の基材２に、賦型用金型であるロール版１３の周側面に作製された微細形状を順次賦型して、効率良く大量生産される。
【００５２】
〔賦型用金型〕
図８は、反射防止物品１の賦型用金型であるロール版１３の構成を示す図である。図８（ａ）は、ロール版１３の全体構成を示す斜視図である。図８（ｂ）は、図８（ａ）のｂ部詳細であり、ロール版１３の構成を説明する拡大図である。図８（ｃ）及び図８（ｄ）は、ロール版１３の他の構成を説明する図８（ｂ）に対応する拡大図である。なお、図８（ｂ）〜図８（ｄ）は、理解を容易にするために、密着層１３ｂ及び賦型部１３ｃの厚みを誇張して記載している。
【００５３】
ロール版１３は、円筒形状の金属材料である母材の周側面に、陽極酸化処理、エッチング処理の繰り返しにより、微細な凹凸形状が作製され、この微細な凹凸形状が上述したように基材２に賦型される。このため母材は、少なくとも周側面に純度の高いアルミニウムが設けられた円柱形状又は円筒形状の部材が適用される。
【００５４】
具体的には、図８（ｂ）に示すように、ロール版１３の一の形態は、その母材１３ａに純度の高いアルミニウムのパイプを適用し、その母材１３ａの周側面に、微細な凹凸形状からなる賦型部１３ｃが設けられる。また、ロール版１３の他の形態は、図８（ｃ）に示すように、母材１３ａに中空のステンレスパイプが適用され、その母材１３ａの周側面に直接、純度の高いアルミニウムからなる賦型部（賦型層）１３ｃが設けられる。なお、ステンレスパイプに代えて、銅やアルミニウム、又は、樹脂等のパイプ材等を適用してもよい。またこの賦型部１３ｃに係るアルミニウム層は、例えばスパッタリングにより作製される。
【００５５】
更に、ロール版１３の別な形態は、図８（ｄ）に示すように、母材１３ａの周側面に、密着層１３ｂを介して微細な凹凸形状が形成された賦型部（賦型層）１３ｃが設けられる。母材１３ａには、一例として中空のアルミニウム材のパイプが適用され、密着層１３ｂには、二酸化珪素（ＳｉＯ２）が適用され、賦型部１３ｃには、純度の高いアルミニウムが適用される。ここで、密着層１３ｂは、その層厚みが約１００ｎｍであり、また、賦型部１３ｃは、その層厚みが約４００ｎｍである。なおアルミニウムのパイプに代えて、銅やステンレス、又は、樹脂等のパイプ材等を適用してもよい。また、密着層１３ｂは、二酸化珪素に限らず他の材料、例えば、一酸化ケイ素（ＳｉＯ）、一酸化ケイ素と二酸化ケイ素の混合物、酸化タンタル（Ｔａ２Ｏ５）、酸化チタン（ＴｉＯ２、Ｔｉ３Ｏ５）、酸化錫（ＳｎＯ２）、酸化アルミニウム（Ａｌ２０３）、酸化クロム（Ｃｒ２Ｏ３）、チタン酸バリウム（ＢａＴｉＯ３）、酸化インジウム（Ｉｎ２Ｏ３）、酸化亜鉛（ＺｎＯ、ＺｎＯ２）のような金属酸化物や、ＴｉＣ、ＳｉＣ、ＢＣ、ＷＣのような炭化物や、ＴｉＮ、ＳｉＮ、ＣｒＮ、ＢＮ、ＡＩＮ、ＣＮ、ＺｒＮのような窒化物や、フッ化バリウム（ＢａＦ２）、フッ化マグネシウム（ＭｇＦ２）、酸化マグネシウム（ＭｇＯ）、ダイヤモンドライクカーボン（ＤＬＣ）、グラッシーカーボン等を使用することもできる。またこのように密着層１３ｂを設ける場合にあっても、賦型部１３ｃに係るアルミニウム層は、例えばスパッタリングにより作製される。
【００５６】
ロール版１３は、陽極酸化処理とエッチング処理との繰り返しにより、賦型部（賦型層）１３ｃの周側面に微細穴が密に作製され、この微細穴を掘り進めると共に、開口部に近づくに従ってより大きな径となるようにこの微細穴の穴径を徐々に拡大して凹凸形状が作製される。これによりロール版１３は、深さ方向に徐々に穴径が小さくなる微細穴が密に作製され、反射防止物品１には、この微細穴に対応して、頂部に近づくに従って徐々に径が小さくなる多数の微小突起により微細な凹凸形状が作製される。
【００５７】
〔ロール版の製造工程〕
図９は、ロール版１３の製造工程を示す図である。この製造工程は、電解溶出作用と、砥粒による擦過作用の複合による電解複合研磨法によって母材１３ａの周側面を超鏡面化する（電解研磨）。それから、母材１３ａの周側面に二酸化珪素を塗布して密着層１３ｂを形成する。続いてこの工程は、母材１３ａの周側面に、密着層１３ｂを介してアルミニウムを蒸着や、スパッタリングして、純度の高いアルミニウム層（賦型部１３ｃ）を作製する。続いてこの工程は、陽極酸化工程Ａ１、…、ＡＮ、エッチング工程Ｅ１、…、ＥＮを交互に繰り返して賦型部１３ｃを処理し、ロール版１３を作製する。
【００５８】
この製造工程において、陽極酸化工程Ａ１、…、ＡＮでは、陽極酸化法により賦型部１３ｃの周側面に微細な穴を作製し、さらにこの作製した微細な穴を掘り進める。ここで陽極酸化工程では、例えば負極に炭素棒、ステンレス板材等を使用する場合のように、アルミニウムの陽極酸化に適用される各種の手法を広く適用することができる。また溶解液についても、中性、酸性の各種溶解液を使用することができ、より具体的には、例えば硫酸水溶液、シュウ酸水溶液、リン酸水溶液等を使用することができる。この製造工程Ａ１、…、ＡＮは、液温、印加する電圧、陽極酸化に供する時間等の管理により、微細な穴をそれぞれ目的とする深さ及び微小突起形状に対応する形状に作製する。
【００５９】
続くエッチング工程Ｅ１、…、ＥＮは、金型をエッチング液に浸漬し、陽極酸化工程Ａ１、…、ＡＮにより作製、掘り進めた微細な穴の穴径をエッチングにより拡大し、深さ方向に向かって滑らか、かつ徐々に穴径が小さくなるように、これら微細な穴を整形する。なおエッチング液については、この種の処理に適用される各種エッチング液を広く適用することができ、より具体的には、例えば硫酸水溶液、シュウ酸水溶液、リン酸水溶液等を使用することができる。これらによりこの製造工程では、陽極酸化処理とエッチング処理とを交互にそれぞれ複数回実行することにより、賦型に供する微細穴を母材の周側面に作製する。
【００６０】
〔ロール版の欠陥〕
ところでこのようにして作成されるロール版１３は、各種の異物が表面に付着して賦型部の表面に凸部が形成され、これにより凸部による欠陥が発生する。このような異物の中には、スパッタリングの過程で付着するものも存在する。すなわちロール版１３は、スパッタリングによりアルミニウムによる賦型部を作製する際に、ターゲットに針状の突起（いわゆるノジュールである）が発生し、このノジュールによるアルミニウム粒子がターゲットから脱落して賦型部の表面に付着する場合がある。これによりロール版１３は、賦型部の表面に、賦型部と同一の材料（アルミニウム）による異物が付着して凸部による欠陥が発生する。
【００６１】
図１０は、このような欠陥の説明に供する図である。このようにノジュールに起因する異物Ｅが付着した場合、図１０（ａ）により示すように、賦型部の表面には、この異物Ｅを除く部位（異物Ｅにより覆い隠された部位を除く部位）に微細穴が作製され、この異物Ｅにより覆い隠された部位には、何ら微細穴が作製されないことになる。またこの場合、この異物Ｅが賦型部と同一の材料であることにより、賦型用金型の表面を向いていない異物Ｅの表面にも、陽極酸化処理及びエッチング処理により微細穴が作製される。
【００６２】
このような凸部による欠陥は、賦型処理において、密接配置による微小突起の作成に支障をきたすことになり、反射防止物品において大きさによって欠点として認識されることになる。より具体的に、凸部による欠陥では、凸部の周囲で十分にロール版に賦型用樹脂層を押し付けることが困難になり、これにより欠点が発生することになる。これによりこのような凸部の欠陥は取り除くことが望まれる。
【００６３】
しかしながら従来技術に開示されているように、単にレーザーの照射により欠陥を除去したのでは、図１０（ｂ）に示すように、レーザーを照射した部位に凹部が形成されることになる。このような凹部にあっては、賦型処理しても微小突起を作製できないことにより、反射防止物品では、この凹部に対応する部位で局所的に反射防止機能が損なわれることになり、この部位の大きさＷが大きい場合（１００μｍ以上の場合）、欠点として認識されることになる。
【００６４】
また大きさＷが小さい場合でも、このような凹部にあっては、賦型処理を繰り返すと、周囲の賦型部が引き剥がされ、その結果、徐々に大きさが拡大し、ついには欠点として認識されに至る。なおこの大きさは、凹部が平面視円形形状である場合には、直径であるものの、楕円形状等の変形した形状である場合、最も大きな幅方向の大きさにより定義される。従って例えば凹部が平面視楕円形状である場合、大きさＷは長軸の長さである。なおこの大きさＷの定義は、後述する平坦部においても同様である。
【００６５】
これによりレーザーの照射により従来のレーザーによる欠陥の修復では、一時的に欠点大きさ及び数が減少するのの、結局、生産の進行により徐々に欠点の大きさ及び数が増大することになる。
【００６６】
〔欠陥の修正〕
そこでこの実施形態では、ロール版の製造工程において、欠陥に応じて、レーザー照射の条件を可変すると共に、レーザー照射により変化する異物Ｅの形状をモニタしながら、レーザーを照射して異物Ｅを除去する。これによりこの実施形態では、異物Ｅの付着箇所に凹部が発生しないようにし、異物の除去箇所を平坦面による平坦部とする。またこの平坦部の大きさＷが１００μｍ以上である場合、賦型処理により微小突起の作成に供する微細穴を作製し、これにより欠点として認識されないようにする。なおこれによりロール版では、大きさＷが１００μｍによる平坦部が形成されることになるものの、この平坦部の大きさＷの下限値にあっては、修正に供する欠陥の大きさの下限値に対応することになるものの、少なくとも反射防止機能を局所的に損なうものであることにより、微小突起より大きな、微小突起の複数個分以上の大きさを備えることになる。
【００６７】
より具体的にこの実施形態では、欠陥の大きさによりマスクを切り替えることにより、レーザー光のビーム径を変更し、欠陥の大きさが小さくなるに従って、レーザー光のビーム径を小さくする。なおこのビーム径は、例えば欠陥の大きさＷの４％以上５０％以下でるものの、より好ましくは１０％以上２５％以下である。
【００６８】
また徐々に照射位置を可変して繰り返しレーザー照射するようにして、１回のレーザーの照射時間（照射パルス数）及び光量を欠陥の大きさにより可変することにより、付着した異物Ｅの厚みが薄くなるに従って１回の照射時間を短くすると共に光量を小さくする。具体的に、この実施形態では、主としてＹＡＧ（波長１０６４ｎｍ、５３２ｎｍ、最短パルス周期６ｎｓｅｃ）レーザーにより、前記パルス周期による１０〜５０パルス、光量（３５０μＪ〜５００μＪ）によりレーザーを照射する。なお実用上十分に平坦部を作製できる場合には、照射時間及び光量の何れか一方のみ制御するようにしてもよい。
【００６９】
なおレーザー光は、紫外光、可視光または赤外光などを用いることができ、特に限定はされるものではない。また、光源としてＹＡＧ（Yttrium  Aluminum  Garnet）レーザー、ＣＯ２レーザー、エキシマレーザー等、この種の欠陥を除去可能な種々のレーザーを使用することができる。またこれらのレーザーは、パルスレーザー、連続レーザーを使用することができる。
【００７０】
図１０（ｃ）〜（ｆ）は、このような欠陥の修正の説明に供する図であり、順次、レーザーの照射による異物Ｅの形状の変化を示す図である。この図１０では、図１０（ｃ）〜（ｆ）によりレーザーの照射による異物の形状の変化を模式的に示す。この実施形態では、ノジュール起因の異物Ｅについては、異物Ｅの形状をモニタしながらレーザー照射箇所を順次変更してレーザーを照射することにより、恰も周辺部から削り取るように、異物Ｅを徐々に小さくする。このようなノジュール起因の異物Ｅは、極めて小さな面積による部位Ｐにより賦型部に点接触して賦型部に付着しており、これによりこのように徐々に削り取るように小さくした場合、レーザーの照射よりこの点接触している部位Ｐでの付着が断たれると、残りの部分は賦型部表面から飛び去ってしまい、これにより異物Ｅによる欠陥が除去されることになる。またこのようにして異物Ｅを除去することにより、ロール版においては、賦型部の表面の高さであり、周囲の微細穴の開口側端部の高さと同じ高さの平坦部が形成される。なおこの平坦部にあっては、ほぼ全面が、スパッタリングにより作製した平坦面となっているものの、異物Ｅが点接触していた箇所では、あばたによるレーザーの照射痕跡が見て取られることになる。
【００７１】
これによりこの実施形態では、欠陥を除去して平坦部とすることにより、平坦部の大きさが小さい場合、欠点として認識されないようにすることができ、これにより欠点を低減することができる。また欠陥を除去してなる箇所が平坦部であることにより、賦型処理による凹部の拡大を有効に回避することができ、これによっても欠点を低減することができる。
【００７２】
〔賦型処理による修正〕
図１１は、賦型処理による平坦部の修正処理の説明に供する図である。すなわち上述したように異物を除去して作成される平坦部の大きさが１００μｍ未満である場合、この平坦部により作製される反射防止物品の対応する部位は、欠点として認識されないことになる。しかしながらこのような平坦部は、大きさが１００μｍ以上である場合もあり、この場合には欠点として認識されることになる。そこでこの実施形態では、大きさが１００μｍ以上である平坦部については、賦型処理により微細穴を作製し、この微細穴により賦型処理により作製される反射防止物品の対応する部位に微小突起を作製し、これにより反射防止物品においては、１００μｍ以上の平坦部が発生しないようにして欠点の発生を防止する。
【００７３】
すなわちこの修正工程では、大きさＷが１００μｍ以上の平坦部２１（図１１（Ａ））を修正対象として、図１１（Ｂ）に示すように、当該平坦部２１に、マイクロディスペンサ２２により、硬化性補修剤２３を滴下し、これにより当該部位に硬化性補修剤による受容層２３Ａを作製する。
【００７４】
硬化性補修剤２３としては、ウレタンアクリレート、アクリレートモノマー、アクリル酸２−ヒドロキシプロピルを成分とする紫外線硬化性樹脂、液体ガラス、その他、熱硬化樹性樹脂、水ガラス、アクリレート系樹脂（瞬間接着剤等）等の硬化性の樹脂を適宜用いることができる。中でも、紫外線硬化性樹脂、又は、液体ガラスを、硬化性補修剤２３として特に好ましく用いることができる。
【００７５】
続いて、この製造工程は、図１１（Ｃ）に示すように、微小突起による凹凸形状が表面に形成されている補修用賦型版２４を、賦型可能な範囲で硬化が若干進んでいる状態である半硬化状態の受容層２３Ａの上に持ち来して押圧し、この状態で紫外線を照射して受容層２３Ａに係る硬化性補修剤２３を硬化させ、補修用賦型版２４の凹凸形状を賦型する（図１１（Ｄ））。
【００７６】
補修用賦型版２４としては、ロール版１３に作成された受容層２３Ａの表面に、微小突起の密接配置に対応する微細穴の密接配置による凹凸形状を賦型可能な対応する凹凸形状をその表面に形成した樹脂フィルム、樹脂シート、又は、金属版等を用いることができる。更には、例えば、ロール版１３を使用した賦型処理により作製された反射防止物品１、それ自体を、そのまま補修用賦型版２４として用いることもできる。
【００７７】
その後、この工程では、ロール版１３から補修用賦型版２４を剥離し（図１１（Ｅ））、これにより賦型処理による当該凹部の修正を完了する。
【００７８】
このように大きさ１００μｍ以上の平坦部について、賦型処理により微細穴の密接構造による凹凸形状を作製することにより、反射防止物品１において欠点と認識されないようにすることができ、これにより従来に比して一段と欠点を低減することができる。
【００７９】
〔検査修復工程〕
図１２は、凸部による欠陥の修正に係る一連の処理手順を示すフローチャートである。反射防止物品の製造工程は、微細穴を作成してなるロール版を洗浄、乾燥した後、この検査修復工程を実行する。
【００８０】
この検査修復工程では、欠陥検出工程（ＳＰ２）において、検査修復装置にロール版をセットして周側面を顕微鏡により観察することにより、欠陥を検出する。続いて検査修復工程では、図１０について上述したように、修正対象の欠陥の部位を顕微鏡でモニタしながら、レーザー照射位置を変化させて順次レーザーを照射することにより、異物による欠陥を除去し、凸部による欠陥の箇所を平坦部とする（ＳＰ３）。
【００８１】
ここでこのようにしてレーザーの照射により表面より異物による欠陥して平坦部とすると、この製造工程は、平坦部の大きさＷを計測する（ＳＰ４）。また計測した平坦部の大きさＷが１００μｍ以上である場合、上述した賦型処理による修正処理により当該平坦部に微小突起の賦型に供する微細穴を作製する（ＳＰ６）。これに対して平坦部の大きさＷが１００μｍ未満である場合、何ら、処理することなく放置する。
【００８２】
〔修正工程を経たロール版による反射防止物品の詳細構成〕
図１３は、このような修正工程を経たロール版により作製される反射防止物品の詳細構成を示す図である。上述したように、賦型処理により大きさ１００μｍ以上の平坦部に微細穴の密接配置による凹凸形状を作製することにより、反射防止物品１には、対応する大きさＷ１が１００μｍ以上の部位において、周囲より微小高さだけ奥まった高さ（基材表面からの高さである）の微小突起が作製されてなる賦型用金型の凸部の修正痕４１が形成されることになる。なおこの賦型処理による賦型用金型の凸部の修正痕４１の高さにあっては、周辺突起の付け根部分より、賦型処理による修正作業で作成した受容層の厚みの分だけ奥まった高さとなる。
【００８３】
また大きさＷ２が１００μｍ未満であって、高さが周囲の微小突起の付け根部分の高さであり、微小突起より大きさの大きな平坦部による賦型用金型の凸部の修正痕４２が形成されることになる。
【００８４】
〔他の実施形態〕
以上、本発明の実施に好適な具体的な構成を詳述したが、本発明は、本発明の趣旨を逸脱しない範囲で、上述の実施形態の構成を種々に変更し、さらには従来構成と組み合わせることができる。
【００８５】
すなわち上述の実施形態では、陽極酸化処理とエッチング処理との繰り返し回数をそれぞれ３（〜５）回に設定する場合について述べたが、本発明はこれに限らず、繰り返し回数をこれ以外の回数に設定してもよく、またこのように複数回処理を繰り返して、最後の処理を陽極酸化処理とする場合にも広く適用することができる。
【００８６】
また上述の第１実施形態では、反射防止物品を液晶表示パネル、電場発光表示パネル、プラズマ表示パネル等の各種画像表示パネルの表側面に配置して視認性を向上する場合について述べたが、本発明はこれに限らず、例えば液晶表示パネルの裏面側に配置してバックライトから液晶表示パネルへの入射光の反射損失を低減させる場合（入射光利用効率を増大させる場合）にも広く適用することができる。尚、ここで画像表示パネルの表面側とは、該画像表示パネルの画像光の出光面であり、画像観察者側の面でもある。又、画像表示パネルの裏面側とは、該画像表示パネルの表面の反対側面であり、バックライト（背面光源）を用いる透過型画像表示裝置の場合は、該バックライトからの照明光の入光面でもある。
【００８７】
また上述の実施形態では、ロール版を使用した賦型処理によりフィルム形状による反射防止物品を生産する場合について述べたが、本発明はこれに限らず、反射防止物品の形状に係る透明基材の形状に応じて、例えば平板、特定の曲面形状による賦型用金型を使用した枚葉の処理により反射防止物品を作成する場合等、賦型処理に係る工程、金型は、反射防止物品の形状に係る透明基材の形状に応じて適宜変更することができる。
【００８８】
上述の実施形態では、賦型用樹脂にアクリレート系の紫外線硬化性樹脂を適用する場合について述べたが、本発明はこれに限らず、エポキシ系、ポリエステル系等の各種紫外線硬化性樹脂、或いはアクリレート系、エポキシ系、ポリエステル系等の電子線硬化性樹脂、ウレタン系、エポキシ系、ポリシロキサン系等の熱硬化性樹脂等の各種材料及び各種硬化形態の賦型用樹脂を使用する場合にも広く適用することができ、さらには例えば加熱した熱可塑性の樹脂を押圧して賦型する場合等にも広く適用することができる。
【００８９】
また、上述の実施形態では、図１に図示の如く、基材２の一方の面上に受容層（紫外線硬化性樹脂層）４を積層してなる積層体の該受容層４上に微小突起群５を賦形し、該受容層４を硬化せしめて反射防止物品１を形成している。層構成としては２層の積層体となる。但し、本発明は、かかる形態のみに限定される訳では無い。本発明の反射防止物品１は、図示は略すが、基材２の一方の面上に、他の層を介さずに直接、微小突起群５を賦形した単層構成であっても良い。或いは、基材２の一方の面に１層以上の中間層（層間の密着性、塗工適性、表面平滑性等の基材表面性能を向上させる層。プライマー層、アンカー層等とも呼称される。）を介して受容層４を形成し、該受容層表面に微小突起群５を賦形した３層以上の積層体であっても良い。
【００９０】
更に、上述の実施形態では、図１にも図示の如く、基材２の一方の面上にのみ（直接或いは他の層を介して）微小突起群５を形成しているが、本発明はかかる形態には限定されない。基材２の両面上に（直接或いは他の層を介して）各々微小突起群５を形成した構成であっても良い。
また、図示は略すが、図１等に図示の如き本発明の反射防止物品１において、基材２の微小突起群形成面とは反対側の面（図１においては基材２の下側面）に各種接着剤層を形成し、更に該接着剤層表面に離型フィルム（離型紙）を剥離可能に積層してなる接着加工品の形態とすることも出来る。かかる形態においては、離型フィルムを剥離除去して接着剤層を露出せしめ、該接着剤層により所望の物品の所望の表面上に本発明の反射防止物品１を貼り合わせ、積層することが出来、簡便に所望の物品に反射防止性能を付与することが出来る。接着剤としては、粘着剤（感圧接着剤）、２液硬化型接着剤、紫外線硬化型接着剤、熱硬化型接着剤、熱熔融型接着剤等の公知の接着形態のものが各種使用出来る。
【００９１】
また、図示は略すが、図１等に図示の如き本発明の反射防止物品１において、微小突起群５形成面上に剥離可能な保護フィルムを仮接着した状態で保管、搬送、売買、後加工乃至施工を行い、しかる後に適時、該保護フィルムを剥離除去する形態とすることも出来る。かかる形態においては、保管、搬送等の間に微小突起群が損傷乃至は汚染して反射防止性能が低下することを防止することが出来る。
【００９２】
また上述の実施形態では、画像表示パネルの表側面、或いは照明光の入射面にフィルム形状による反射防止物品を配置する場合について述べたが、本発明はこれに限らず、種々の用途に適用することができる。具体的には、画像表示パネルの画面上に間隙を介して設置されるタッチパネル、各種の窓材、各種光学フィルタ等による表面側部材の裏面（画像表示パネル側）に配置する用途に適用することができる。なおこの場合には、画像表示パネルと表面側部材との間の光の干渉によるニュートンリング等の干渉縞の発生の防止、画像表示パネルの出光面と表面側部材の入光面側との間の多重反射によるゴースト像の防止、さらには画面から出光されてこれら表面側部材に入光する画像光について、反射損失の低減等の効果を奏することができる。
【００９３】
或いは、タッチパネルを構成する透明電極を、フィルム或いは板状の透明基材上に本発明特定の微小突起群を形成し、更に該微小突起群上にＩＴＯ（酸化インジウム錫）等の透明導電膜を形成したものを用いることが出来る。この場合には、該タッチパネル電極とこれと隣接する対向電極又は各種部材との間での光反射を防止して、干渉縞、ゴースト像等の発生を低減させる効果を奏することが出来る。
【００９４】
また店舗のショウウインドウに使用する硝子板表面（外界側）、或いは表面及び裏面（商品又は展示物側面）の両面に配置するようにしても良い。なおこの場合、該硝子板表面の光反射防止による商品、美術品等の顧客や観客に対する視認性を向上することができる。
【００９５】
また眼鏡、望遠鏡、写真機、ビデオカメラ、銃砲の照準鏡（狙撃用スコープ）、双眼鏡、潜望鏡等の各種光学機器に用いるレンズ又はプリズムの表面に配置する場合にも広く適用することができる。この場合、レンズ又はプリズム表面の光反射防止による視認性を向上することができる。またさらに書籍の印刷部（文字、写真、図等）表面に配置する場合にも適用して、文字等の表面の光反射を防止し、文字等の視認性向上することができる。また看板、ポスター、其の他各種店頭、街頭、外壁等における各種表示（道案内、地図、或いは禁煙、入口、非常口、立入禁止等）の表面に配置して、これらの視認性を向上することができる。またさらに白熱電球、発光ダイオード、螢光燈、水銀燈、ＥＬ（電場発光）等を用いた照明器具の窓材（場合によっては、拡散板、集光レンズ、光学フィルタ等も兼ねる）の入光面側に配置するようにして、窓材入光面の光反射を防止し、光源光の反射損失を低減し、光利用効率を向上することができる。またさらに時計、其の他各種計測機器の表示窓表面（表示観察者側）に配置して、これら表示窓表面の光反射を防止し、視認性を向上することができる。
【００９６】
またさらに、自動車、鉄道車両、船舶、航空機等の乗物の操縦室（運転室、操舵室）の窓の室内側、室外側、あるいはその両側の表面に配置して窓における室内外光を反射防止して、操縦者（運転者、操舵者）の外界視認性を向上することができる。またさらに、防犯等の監視、銃砲の照準、天体観測等に用いる暗視装置のレンズないしは窓材表面に配置して、夜間、暗闇での視認性を向上することができる。
【００９７】
またさらに、住宅、店舗、事務所、学校、病院等の建築物の窓、扉、間仕切、壁面等を構成する透明基板（窓硝子等）の表面（室内側、室外側、あいはその両側）の表面に配置して、外界の視認性、あるいは採光効率を向上することができる。またさらに、温室、農業用ビニールハウスの透明シート、ないしは透明板（窓材）の表面に配置して、太陽光の採光効率を向上することができる。さらにまた、太陽電池表面に配置して、太陽光の利用効率（発電効率）を向上することができる。
【００９８】
またさらに、上述の実施形態においては、反射防止を図る電磁波の波長帯域を、専ら、可視光線帯域（の全域又は一部帯域）としたが、本発明はこれに限らず、反射防止を図る電磁波の波長帯域を赤外線、紫外線等の可視光線以外の波長帯域に設定しても良い。その場合は前記の各条件式中において、電磁波の波長帯域の最短波長Λｍｉｎを、それぞれ、赤外線、紫外線等の波長帯域における反射防止効果を希望する最短波長に設定すれば良い。例えば、最短波長Λｍｉｎが８５０ｎｍの赤外線帯域の反射防止を希望する場合は、隣接突起間距離ｄ（乃至は其の最大値ｄｍａｘ）を８５０ｎｍ以下、例えば、ｄ（ｄｍａｘ）＝８００ｎｍと設計すれば良い。尚、この場合は、可視光線帯域（３８０〜７８０ｎｍ）に於いては反射防止効果は期待し得ず、專ら波長８５０ｎｍ以上の赤外線に対しての反射防止効果を奏する反射防止物品が得られる。
【００９９】
以上例示の各種実施形態において、硝子板等の透明基板の表面、裏面、或いは表裏両面に本発明のフィルム状の反射防止物品を配置する場合、該透明基板の全面に亙って配置、被覆する以外に、一部分の領域にのみ配置することも出来る。かかる例としては、例えば、１枚の窓硝子について、其の中央部分の正方形領域において、室内側表面にのみフィルム状の反射防止物品を粘着剤で貼着し、その他領域には反射防止物品を貼着し無い場合を挙げることが出来る。透明基板の一部分の領域にのみ反射防止物品を配置する形態の場合は、特別な表示や衝突防止柵等の設置無しでも、該透明基板の存在を視認し易くして、人が該透明基板に衝突、負傷する危険性を低減する効果、及び室内（屋内）の覗き見防止と該透明基板の（該反射防止物品の配置領域における）透視性とが両立出来ると言う効果を奏し得る。
【符号の説明】
【０１００】
１  反射防止物品
２  基材
４  紫外線硬化性樹脂層、受容層
５  微小突起
６  賦型痕
１０  製造工程
１２  ダイ
１３  ロール版
１３ａ  母材
１３ｂ  密着層
１３ｃ  賦型部
１４、１５  ローラ
２１  凹部
２２  マイクロディスペンサ
２３  硬化性補修剤
２３Ａ  受容層
２４  補修用賦型版
４１、４２  修正痕
Ｅ  異物
【図１】
0006451213.tif 000002
【図２】
0006451213.tif 000003
【図３】
0006451213.tif 000004
【図４】
0006451213.tif 000005
【図５】
0006451213.tif 000006
【図６】
0006451213.tif 000007
【図７】
0006451213.tif 000008
【図８】
0006451213.tif 000009
【図９】
0006451213.tif 000010
【図１０】
0006451213.tif 000011
【図１１】
0006451213.tif 000012
【図１２】
0006451213.tif 000013
【図１３】
0006451213.tif 000014